(57)【要約】【課題】側方へ発光させることができる側方発光ダウンライトを提供する。【解決手段】側方発光ダウンライトは、頂板１０、本体ベース２０、リフレクター３０、位置拘束部材４０、遮光板５０、透光板６０、出光板７０、ＬＥＤ８０、架台９０及び弾性片１１０を備える。出光板７０、透光板６０及び遮光板５０は、この順に本体ベース２０内に取り付けられる。ＬＥＤ８０は、同様に本体ベース２０内に取り付けられるとともに、透光板６０の外側を取り囲むように設けられる。頂板１０及びリフレクター３０は、それぞれ上下両方向から本体ベース２０に取り付けられる。位置拘束部材４０は、頂板１０及び架台９０にそれぞれ接続される。位置拘束部材４０は、接続板と、接続板に取り付けられた係合板とを有する。係合板は、接続板から着脱可能である。接続板の中央部には、Ｔ字状を呈する装着溝が形成される。【選択図】図３
0003226197.tif 000002
【実用新案登録請求の範囲】
【請求項１】
頂板、本体ベース、リフレクター、位置拘束部材、遮光板、透光板、出光板、ＬＥＤ、架台及び弾性片を備えた側方発光ダウンライトであって、
前記出光板、前記透光板及び前記遮光板は、この順に前記本体ベース内に取り付けられ、前記ＬＥＤは、同様に前記本体ベース内に取り付けられるとともに、前記透光板の外側を取り囲むように設けられ、前記頂板及び前記リフレクターは、それぞれ上下両方向から前記本体ベースに取り付けられ、前記位置拘束部材は、前記頂板及び前記架台にそれぞれ接続され、
前記位置拘束部材は、接続板と、前記接続板に取り付けられた係合板と、を有し、前記係合板は、前記接続板から着脱可能であり、前記接続板の中央部には、Ｔ字状を呈する装着溝が形成され、前記係合板は、前ストッパ部と、前記前ストッパ部の後方に接続された側係合部と、を有し、前記側係合部は、前記前ストッパ部の後方下方に延び、前記係合板の前記前ストッパ部は、前記接続板の前記装着溝に挿入され、前記弾性片は、前記本体ベースに取り付けられ、前記リフレクターは、前記弾性片に取り付けられることを特徴とする側方発光ダウンライト。
【請求項２】
前記側係合部の上端中央部には、複数の当止長尺部材が突設され、前記当止長尺部材は、前ストッパ部に向かって延び、前記当止長尺部材の延伸方向は、側係合部全体の延伸方向に対して平行であることを特徴とする請求項１に記載の側方発光ダウンライト。
【請求項３】
前記当止長尺部材は、前記前ストッパ部に隣接した一端が上方に折り曲げられて当止部が延設され、前記当止部と前記前ストッパ部との間には、一定の間隔をあけて位置拘束空間が形成されることを特徴とする請求項２に記載の側方発光ダウンライト。
【請求項４】
前記側係合部の末端部には、Ｌ字状に折り曲げられた押さえ片が設けられることを特徴とする請求項２に記載の側方発光ダウンライト。
【請求項５】
前記頂板の外側面には、係合凸部が設けられ、前記係合凸部には、上端面から下方向にかけて貫通した第１の装着孔が形成され、前記本体ベース全体はリング状に成形され、前記本体ベースの上端縁部には、複数の凹口部が設けられ、前記本体ベースの外側縁部には、豎直方向に延びたリブが設けられ、前記リブと前記凹口部とはそれぞれ対応し、前記リブの上端面には、下方に延びた第２の装着孔が形成され、前記頂板上の前記係合凸部は、前記凹口部上から突出され、前記頂板上の前記第１の装着孔は、前記本体ベース上の前記第２の装着孔に位置合わせされることを特徴とする請求項１に記載の側方発光ダウンライト。
【請求項６】
前記本体ベースの下端縁部には、水平に内向きに折り曲げられた支持部が延設されていることを特徴とする請求項５に記載の側方発光ダウンライト。
【請求項７】
前記リフレクターは、リング状の接続部と、前記接続部の底部から外方に拡張した本体部と、を有し、
前記接続部と前記本体部との接続箇所は凹んで嵌合溝が形成され、
前記弾性片の上端は、前記本体ベースに接続され、
前記弾性片は、中央部が凹んで、底部が反り、前記リフレクターの外形に対応し、
前記リフレクターが前記弾性片に対して摺動されると、前記弾性片の中央部が前記リフレクターの前記嵌合溝内に係合されることを特徴とする請求項５に記載の側方発光ダウンライト。
【請求項８】
前記接続部から遠い前記本体部の一端の縁部には、水平に外方に延びてから上方に折り曲げられた収容部が形成され、
前記本体ベースの下端は、前記リフレクターの前記収容部上に係合されることを特徴とする請求項７に記載の側方発光ダウンライト。
【請求項９】
前記接続板の上端には、水平に外方に折り曲げられた装着板が延設され、
前記装着板上には、第１の固定孔が形成され、組み立てる際、前記接続板の前記装着板上の前記第１の固定孔が前記係合凸部に位置合わせされることを特徴とする請求項５に記載の側方発光ダウンライト。
【考案の詳細な説明】
【技術分野】
【０００１】
本考案は、照明装置に関するものであり、さらに詳しくは、側方発光ダウンライトに関するものである。
【背景技術】
【０００２】
従来から市販されている埋設式ライトには様々な種類のものがあったが、それらの製品は使用が理想的でなく、特に、側方向へ発光または配光させることができない上、様々な取付け応用環境に応じて様々な要求に対し、ライトに対する市場のニーズに応えるために、従来のダウンライトでは不十分であったため、その改良が求められていた。
【考案の概要】
【考案が解決しようとする課題】
【０００３】
従って、本考案の課題は、側方向へ発光・配光させることができる側方発光ダウンライトを提供することにある。
【課題を解決するための手段】
【０００４】
そこで、本考案者は、本考案の前記課題を解決するため、鋭意検討を重ねた結果、後述の如く、少なくとも出光板、透光板および遮光板がこの順に本体ベース内に取り付けられることにより、前記課題を解決できる点に着目し、かかる知見に基いて本考案に想到するに至った。なお、本考案の説明に関し、実用新案登録請求の範囲および明細書において、「側方発光」の用語は、所謂「発光」のほかに光の放射を側方向へ配光することを包含するものとして取り扱われている。
【０００５】
すなわち、上記課題を解決するために、本考案の第１の形態によれば、頂板、本体ベース、リフレクター、位置拘束部材、遮光板、透光板、出光板、ＬＥＤ、架台及び弾性片を備えた側方発光ダウンライトであって、前記出光板、前記透光板及び前記遮光板は、この順に前記本体ベース内に取り付けられ、前記ＬＥＤは、同様に前記本体ベース内に取り付けられるとともに、前記透光板の外側を取り囲むように設けられ、前記頂板及び前記リフレクターは、それぞれ上下両方向から前記本体ベースに取り付けられ、前記位置拘束部材は、前記頂板及び前記架台にそれぞれ接続され、前記位置拘束部材は、接続板と、前記接続板に取り付けられた係合板と、を有し、前記係合板は、前記接続板から着脱可能であり、前記接続板の中央部には、Ｔ字状を呈する装着溝が形成され、前記係合板は、前ストッパ部と、前記前ストッパ部の後方に接続された側係合部と、を有し、前記側係合部は、前記前ストッパ部の後方下方に延び、前記係合板の前記前ストッパ部は、前記接続板の前記装着溝に挿入され、前記弾性片は、前記本体ベースに取り付けられ、前記リフレクターは、前記弾性片に取り付けられることを特徴とする側方発光ダウンライトを提供する。
【０００６】
前記側係合部の上端中央部には、複数の当止長尺部材が突設され、前記当止長尺部材は、前ストッパ部に向かって延び、前記当止長尺部材の延伸方向は、側係合部全体の延伸方向に対して平行であることが好ましい。
【０００７】
前記当止長尺部材は、前記前ストッパ部に隣接した一端が上方に折り曲げられて当止部が延設され、前記当止部と前記前ストッパ部との間には、一定の間隔をあけて位置拘束空間が形成されることが好ましい。
【０００８】
前記側係合部の末端部には、Ｌ字状に折り曲げられた押さえ片が設けられることが好ましい。
【０００９】
前記頂板の外側面には、係合凸部が設けられ、前記係合凸部には、上端面から下方向にかけて貫通した第１の装着孔が形成され、前記本体ベース全体はリング状に成形され、前記本体ベースの上端縁部には、複数の凹口部が設けられ、前記本体ベースの外側縁部には、豎直方向に延びたリブが設けられ、前記リブと前記凹口部とはそれぞれ対応し、前記リブの上端面には、下方に延びた第２の装着孔が形成され、前記頂板上の前記係合凸部は、前記凹口部上から突出され、前記頂板上の前記第１の装着孔は、前記本体ベース上の前記第２の装着孔に位置合わせされることが好ましい。
【００１０】
前記本体ベースの下端縁部には、水平に内向きに折り曲げられた支持部が延設されていることが好ましい。
【００１１】
前記リフレクターは、リング状の接続部と、前記接続部の底部から外方に拡張した本体部と、を有し、前記接続部と前記本体部との接続箇所は凹んで嵌合溝が形成され、前記弾性片の上端は、前記本体ベースに接続され、前記弾性片は、中央部が凹んで、底部が反り、前記リフレクターの外形に対応し、前記リフレクターが前記弾性片に対して摺動されると、前記弾性片の中央部が前記リフレクターの前記嵌合溝内に係合されることが好ましい。
【００１２】
前記接続部から遠い前記本体部の一端の縁部には、水平に外方に延びてから上方に折り曲げられた収容部が形成され、前記本体ベースの下端は、前記リフレクターの前記収容部上に係合されることが好ましい。
【００１３】
前記接続板の上端には、水平に外方に折り曲げられた装着板が延設され、前記装着板上には、第１の固定孔が形成され、組み立てる際、前記接続板の前記装着板上の前記第１の固定孔が前記係合凸部に位置合わせされることが好ましい。
【００１４】
かくして、本考案の要旨は、次の（１）〜（９）に記載の通りのものである。
【００１５】
（１）頂板、本体ベース、リフレクター、位置拘束部材、遮光板、透光板、出光板、ＬＥＤ、架台及び弾性片を備えた側方発光ダウンライトであって、
前記出光板、前記透光板及び前記遮光板は、この順に前記本体ベース内に取り付けられ、前記ＬＥＤは、同様に前記本体ベース内に取り付けられるとともに、前記透光板の外側を取り囲むように設けられ、前記頂板及び前記リフレクターは、それぞれ上下両方向から前記本体ベースに取り付けられ、前記位置拘束部材は、前記頂板及び前記架台にそれぞれ接続され、
前記位置拘束部材は、接続板と、前記接続板に取り付けられた係合板と、を有し、前記係合板は、前記接続板から着脱可能であり、前記接続板の中央部には、Ｔ字状を呈する装着溝が形成され、前記係合板は、前ストッパ部と、前記前ストッパ部の後方に接続された側係合部と、を有し、前記側係合部は、前記前ストッパ部の後方下方に延び、前記係合板の前記前ストッパ部は、前記接続板の前記装着溝に挿入され、前記弾性片は、前記本体ベースに取り付けられ、前記リフレクターは、前記弾性片に取り付けられることを特徴とする側方発光ダウンライト。
（２）前記側係合部の上端中央部には、複数の当止長尺部材が突設され、前記当止長尺部材は、前ストッパ部に向かって延び、前記当止長尺部材の延伸方向は、側係合部全体の延伸方向に対して平行であることを特徴とする前記（１）に記載の側方発光ダウンライト。
（３）前記当止長尺部材は、前記前ストッパ部に隣接した一端が上方に折り曲げられて当止部が延設され、前記当止部と前記前ストッパ部との間には、一定の間隔をあけて位置拘束空間が形成されることを特徴とする前記（２）に記載の側方発光ダウンライト。
（４）前記側係合部の末端部には、Ｌ字状に折り曲げられた押さえ片が設けられることを特徴とする前記（２）に記載の側方発光ダウンライト。
（５）前記頂板の外側面には、係合凸部が設けられ、前記係合凸部には、上端面から下方向にかけて貫通した第１の装着孔が形成され、前記本体ベース全体はリング状に成形され、前記本体ベースの上端縁部には、複数の凹口部が設けられ、前記本体ベースの外側縁部には、豎直方向に延びたリブが設けられ、前記リブと前記凹口部とはそれぞれ対応し、前記リブの上端面には、下方に延びた第２の装着孔が形成され、前記頂板上の前記係合凸部は、前記凹口部上から突出され、前記頂板上の前記第１の装着孔は、前記本体ベース上の前記第２の装着孔に位置合わせされることを特徴とする前記（１）に記載の側方発光ダウンライト。
（６）前記本体ベースの下端縁部には、水平に内向きに折り曲げられた支持部が延設されていることを特徴とする前記（５）に記載の側方発光ダウンライト。
（７）前記リフレクターは、リング状の接続部と、前記接続部の底部から外方に拡張した本体部と、を有し、
前記接続部と前記本体部との接続箇所は凹んで嵌合溝が形成され、
前記弾性片の上端は、前記本体ベースに接続され、
前記弾性片は、中央部が凹んで、底部が反り、前記リフレクターの外形に対応し、
前記リフレクターが前記弾性片に対して摺動されると、前記弾性片の中央部が前記リフレクターの前記嵌合溝内に係合されることを特徴とする前記（５）に記載の側方発光ダウンライト。
（８）前記接続部から遠い前記本体部の一端の縁部には、水平に外方に延びてから上方に折り曲げられた収容部が形成され、
前記本体ベースの下端は、前記リフレクターの前記収容部上に係合されることを特徴とする前記（７）に記載の側方発光ダウンライト。
（９）前記接続板の上端には、水平に外方に折り曲げられた装着板が延設され、
前記装着板上には、第１の固定孔が形成され、組み立てる際、前記接続板の前記装着板上の前記第１の固定孔が前記係合凸部に位置合わせされることを特徴とする前記（５）に記載の側方発光ダウンライト。
【考案の効果】
【００１６】
本考案の側方発光ダウンライトは、出光板、透光板及び遮光板がこの順に本体ベース内に取り付けられ、ＬＥＤが同様に本体ベース内に取り付けられるとともに、透光板の外側を取り囲んで設けられているため、ダウンライトから側方へ発光させることができる上、全体の着脱を容易に行うこともでき、上述したリフレクターの色を必要に応じて変えることもできるため、柔軟性が高く、実用的価値が高く、普及させる価値がある。
【図面の簡単な説明】
【００１７】
【図１】本考案の一実施形態に係る側方発光ダウンライトを示す斜視図である。
【図２】図１の側方発光ダウンライトの斜視図である。
【図３】図２の側方発光ダウンライトの分解斜視図である。
【図４】図３の側方発光ダウンライトの位置拘束部材を示す斜視図である。
【図５】本考案の一実施形態に係る側方発光ダウンライトを組み立てる状態の説明図である。
【考案を実施するための形態】
【００１８】
本考案の技術手段及びそれにより達成可能な効果を、より完全かつ明白に開示するために、開示した添付の図面及び符号と併せて本考案を以下に詳説する。
【００１９】
図１〜図５を参照する。図１〜図５に示すように、本考案の一実施形態に係る側方発光ダウンライトは、天井板１００に埋込むかランプホルダに取り付けることが可能であり、頂板１０、本体ベース２０、リフレクター３０、位置拘束部材４０、遮光板５０、透光板６０、出光板７０、ＬＥＤ８０、架台９０及び複数の弾性片１１０を含む。上述した出光板７０、透光板６０、遮光板５０は、この順に本体ベース２０内に取り付けられる。上述したＬＥＤ８０は、同様に本体ベース２０内に取り付けられるとともに、ＬＥＤ８０が透光板６０の外側を取り囲むように設けられる。上述した頂板１０及びリフレクター３０は、それぞれ上下両方向から本体ベース２０に取り付けられる。上述した位置拘束部材４０は、頂板１０及び架台９０にそれぞれ接続され、位置拘束部材４０の外側端は天井板１００上に係合される。上述したリフレクター３０は、弾性片１１０上に係合され、ユーザは必要に応じてリフレクター３０の色を変えてもよい。
【００２０】
上述した頂板１０の底面には、ピン１２が設けられる。頂板１０の外側面には、係合凸部１１が設けられる。上述した係合凸部１１には、上端面から下方向にかけて貫通した第１の装着孔１３が形成される。上述した本体ベース２０全体はリング状に設けられる。本体ベース２０の下端縁部には、水平に内向きに折り曲げられた支持部２３が延設される。上述した本体ベース２０の上端縁部には、複数の凹口部２１が設けられる。上述した本体ベース２０の外側縁部には、豎直方向に延びたリブ２２が設けられる。上述したリブ２２と凹口部２１とはそれぞれ対応する。上述したリブ２２の上端面には、下方に延びた第２の装着孔２４が形成される。
【００２１】
上述したリフレクター３０は、リング状の接続部３１と、接続部３１の底部から外方に拡張した本体部３２と、を含む。上述した接続部３１から遠い本体部３２の一端の縁部には、水平に外方に延びてから上方に折り曲げられた収容部３３が形成される。上述した接続部３１と本体部３２との接続箇所は凹んで嵌合溝３４が形成される。また、上述した弾性片１１０の上端は、本体ベース２０に接続される。弾性片１１０は、中央部が凹んで、底部が反り、リフレクター３０の外形に対応する。
【００２２】
上述した位置拘束部材４０は、接続板４１と、接続板４１上に取り付けられた係合板４２と、を含む。上述した係合板４２は、接続板４１から着脱可能である。上述した接続板４１の上端には、水平に外方に折り曲げられた装着板４１２が延設される。上述した装着板４１２には、第１の固定孔４１３が形成される。上述した接続板４１の中央部には、Ｔ字状を呈する装着溝４１１が形成される。上述した接続板４１の底部近くには、第２の固定孔４１５が形成される。
【００２３】
上述した係合板４２は、前ストッパ部４２１と、前ストッパ部４２１の後方に接続された側係合部４２２と、を含む。上述した側係合部４２２は、前ストッパ部４２１の後方下方に延び、前ストッパ部４２１と側係合部４２２とにより夾角が形成され、上述した側係合部４２２の上端中央部には、複数の当止長尺部材４２３が突設される。上述した当止長尺部材４２３は、前ストッパ部４２１に向かって延び、当止長尺部材４２３の延伸方向は、側係合部４２２全体の延伸方向に対して平行である。上述した前ストッパ部４２１の一端は、上方に折り曲げられて延びて当止部４２４が形成される。当止部４２４と前ストッパ部４２１との間は一定の間隔をあけて位置拘束空間が形成される。側係合部４２２の末端部には、天井板１００に押し付けるのを補助するＬ字状に折り曲げられた押さえ片４２５が設けられる。
【００２４】
実際に組み立てる際、出光板７０、透光板６０及び遮光板５０は、この順に本体ベース内に取り付けられるとともに、支持部２３上に係合される。ＬＥＤ８０は、本体ベース２０内に取り付けられるとともに、透光板６０の外側を取り囲んで設けられる。上述した頂板１０のピン１２は、本体ベース２０の内側面に係合される。頂板１０上の係合凸部１１は、凹口部２１上から突出される。上述した頂板１０上の第１の装着孔１３は、本体ベース２０上の第２の装着孔２４に位置合わせされる。上述した位置拘束部材４０の接続板４１は、頂板１０及び架台９０上に取り付けられる。上述した接続板４１の装着板４１２上の第１の固定孔４１３は、係合凸部１１に位置合わせされ、固定部材４１４を接続板４１の第１の固定孔４１３と、頂板１０の第１の装着孔１３と、本体ベース２０の第２の装着孔２４とに挿通させて固着させ、接続板４１底部の第２の固定孔４１５を介して固定部材により架台９０上に螺設される。図５に示すように、組立が完成したライトを天井板１００の底端から嵌入させ、係合板４２が天井板１００の外側から天井板１００内に向かって延び、頂板１０と架台９０との間の空隙Ａから突出され、接続板４１中に嵌入される。
【００２５】
リフレクター３０を底部から上方へ押動し、リフレクター３０を弾性片１１０に対して摺動させると、弾性片１１０の中央部がリフレクター３０の嵌合溝３４内に係合され、本体ベース２０の下端がリフレクター３０の収容部３３上に係合され、リフレクター３０の底部が架台９０に接合される。上述した係合板４２の前ストッパ部４２１が、接続板４１の装着溝４１１に係合させてから、係合板４２を下方へ移動させ、接続板４１を位置拘束空間に通過させて、前ストッパ部４２１と当止長尺部材４２３との間に係合させ、当止長尺部材４２３上の当止部４２４が接続板４１上に当止される。天井板１００上には装着口が形成され、側方発光ダウンライトが装着口に取り付けられる。上述した側方発光ダウンライト上の側係合部４２２は、天井板１００上に係合される。
【００２６】
上述したことから分かるように、本考案の側方発光ダウンライトは、出光板７０、透光板６０及び遮光板５０がこの順に本体ベース２０内に取り付けられ、ＬＥＤ８０が同様に本体ベース２０内に取り付けられるとともに、透光板６０の外側を取り囲んで設けられているため、ダウンライトから側方へ発光させることができる上、全体の着脱を容易に行うことができ、上述したリフレクター３０の色を必要に応じて変えることもできるため、柔軟性が高く、実用的価値が高く、普及させる価値がある。
【００２７】
当該分野の技術の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  頂板
１１  係合凸部
１２  ピン
１３  第１の装着孔
２０  本体ベース
２１  凹口部
２２  リブ
２３  支持部
２４  第２の装着孔
３０  リフレクター
３１  接続部
３２  本体部
３３  収容部
３４  嵌合溝
４０  位置拘束部材
４１  接続板
４２  係合板
５０  遮光板
６０  透光板
７０  出光板
８０  ＬＥＤ
９０  架台
１００  天井板
１１０  弾性片
４１１  装着溝
４１２  装着板
４１３  第１の固定孔
４１４  固定部材
４１５  第２の固定孔
４２１  前ストッパ部
４２２  側係合部
４２３  当止長尺部材
４２４  当止部
４２５  押さえ片
Ａ  空隙部
【図１】
0003226197.tif 000003
【図２】
0003226197.tif 000004
【図３】
0003226197.tif 000005
【図４】
0003226197.tif 000006
【図５】
0003226197.tif 000007